(57)【要約】      （修正有）【課題】変圧器を通して増圧した電流を使用しても、回転が重くならないで発電ができ、渦電流の負荷も減り、回転子磁石の回転が軽い低電圧発電機を提供する。【解決手段】低電圧の発電にする為に固定子コイルを全数並列に接続して固定子２の磁力を弱め負荷を減らす。回転が軽くなり低電圧の電流が変圧器に流れ、この電流を、通常の固定子コイルを直列に接続した時の電圧に増大させて使用する、又、コイル付磁石５を回転板３に付ける事で、さらに負荷が減る。【選択図】図１
0003218985.tif 000002
【実用新案登録請求の範囲】
【請求項１】
互いに対向する一対の角板形状の外枠と、外枠の互いに対向する面に配置された複数の固定子と、固定子が互いに対向する固定子複数の内側に入る中継リングと、その一対が互いに対向する中央で回る回転板と、回転板の表裏に固定された複数の磁石と、磁石に固定子が円周方向に対向して回転自在に回る回転板と、固定子コイルより起電される電流の変圧を変える変圧器と、を、備え、
外枠は、磁気誘導性を有する素材で角板形状の中心に孔があり、その孔の円周方向に複数の固定子が取付き、固定子複数の内側に入る大きさの中継リングがあり、その一対が互いに対向する中央で回る回転板を有し、回転板は、磁気誘導性を有する素材で円板形状の板に回転軸が固定され、回転板の表にＮの同極を、固定子の数の半分を固定、裏にＳの同極を同数を取付け
固定子は、絶縁された導線を、一方と他方の固定子個々にコイルが同方向に巻かれた配線を、磁石に対向して起電する電流を並列になる様に、中継リングのＡリングとＢリングに別けて、一方と他方の中継リングに接続され、低電圧の交流を作り、
中継リングは、中心に回転軸の通る孔があり、固定子複数の内側に入る大きさの、プラスチックで円盤形状の中に導体リングが二個接触しない様固着され外枠に固定し、中継リングのＡとＢリングからの配線を、一方と他方から外部にだして、ＡとＡ、ＢとＢを接続二本の配線にして変圧器に接続し、
変圧器は、入力された電流の電圧を、減圧した分増圧して使用できる電流にする低電圧発電機。
【請求項２】
絶縁された導線を、固定子と対向する磁石に、ぐるりと四面に一列に重ならない様に巻付け、巻付けた方向を、回転方向に向けて、回転板に固定するコイル付磁石を設け、その配線を直列に接続する請求項１、に記載の低電圧発電機。
【考案の詳細な説明】
【技術分野】
【０００１】  発電に関する
【背景の技術】
【０００２】  現在は、回転が重い程発電量が多く電圧も高く使用しやすいが回転に力が多くかかる。
【考案の概要】
【考案の解決する課題】
【０００３】  電圧が高いと、磁力も強く負荷が多く磁石の数が多い程増大し、渦電流の負荷も多くなるのを、減らす事を目的とする。
【課題を解決しようとする手段】
【０００４】  互いに対向する一対の角板形状の外枠と、外枠の互いに対向する面に配置された複数の固定子と、固定子が互いに対向する固定子複数の内側に入る中継リングと、その一対が互いに対向する中央で回る回転板と、回転板の表裏に固定された複数の磁石と、磁石に固定子が円周方向に対向して回転自在に回る回転板と、固定子コイルより起電される電流の変圧を変える変圧器と、を、備え、
外枠は、磁気誘導性を有する素材で角板形状の中心に孔があり、その孔の円周方向に複数の固定子が取付き、固定子複数の内側に入る大きさの中継リングがあり、その一対が互いに対向する中央で回る回転板を有し、
回転板は、磁気誘導性を有する素材で円板形状の板に回転軸が固定され、回転板の表にＮの同極を、固定子の数の半分を固定、裏にＳの同極を同数を取付け固定子は、絶縁された導線を、一方と他方の固定子個々にコイルが同方向に巻かれた配線を、磁石に対向して起電する電流を並列になる様に、中継リングのＡリングとＢリングに別けて、一方と他方の中継リングに接続され、低電圧の交流を作り、
中継リングは、中心に回転軸の通る孔があり、固定子複数の内側に入る大きさの、プラスチックで円盤形状の中に導体リングが二個接触しない様固着され外枠に固定し、中継リングのＡとＢリングからの配線を、一方と他方から外部にだして、ＡとＡ、ＢとＢを接続二本の配線にして変圧器に接続し、
変圧器は、入力された電流の電圧を、減圧した分増圧して使用できる電流にする低電圧発電機。
【０００５】  絶縁された導線を、固定子と対向する磁石に、ぐるりと四面に一列に重ならない様に巻付け、巻付けた方向を、回転方向に向けて、回転板に固定するコイル付磁石を設け、その配線を直列に接続する請求項１、に記載の低電圧発電機。
【考案の効果】
【０００６】  変圧器を通して増圧した電流を使用しても、回転が重くならないで発電できる又、渦電流の負荷も減り、変圧器の部品が多くなるが回転子磁石の回転が軽い。
【図面の簡単な説明】
【０００７】
【図１】側面図
【図２】中継リングの図
【図３】配線図
【図４】コイル付磁石
【考案を実施するための形態】
【０００８】  互いに対向する一対の角板形状の外枠１と、外枠１の互いに対向する面に配置された複数の固定子２と、固定子２が互いに対向する固定子２複数の内側に入る中継リング４と、その一対が互いに対向する中央で回る回転板３と、回転板３の表裏に固定された複数の磁石５と、磁石５に固定子２が円周方向に対向して回転自在に回る回転板３と、固定子コイルより起電される電流の変圧を変える変圧器６と、を、備え、
外枠１は、磁気誘導性を有する素材で角板形状の中心に孔があり、その孔の円周方向に複数の固定子２が取付き、固定子２複数の内側に入る大きさの中継リング４があり、その一対が互いに対向する中央で回る回転板を有し、
回転板３は、磁気誘導性を有する素材で円板形状の板に回転軸が固定され、回転板３の表にＮの同極を、固定子の数の半分を固定、裏にＳの同極を同数を取付け固定子２は、絶縁された導線を、一方と他方の固定子２個々にコイルが同方向に巻かれた配線を、磁石５に対向して起電する電流を並列になる様に、中継リング４のＡリングとＢリングに別けて、一方と他方の中継リング４に接続され、低電圧の交流を作り、
中継リング４は、中心に回転軸の通る孔があり、固定子２複数の内側に入る大きさの、プラスチックで円盤形状の中に導体リングが二個接触しない様固着され外枠１に固定し、中継リング４のＡとＢリングからの配線を、一方と他方から外部にだして、ＡとＡ、ＢとＢを接続二本の配線にして変圧器６に接続し
変圧器６は、入力された電流の電圧を、減圧した分増圧して使用できる電流にする低電圧発電機。
【０００９】  絶縁された導線を、固定子２と対向する磁石５に、ぐるりと四面に一列に重ならない様に巻付け、巻付けた方向を、回転方向に向けて、回転板３に固定するコイル付磁石７を設け、その配線を直列に接続する請求項１、に記載の低電圧発電機。
【００１０】  固定子コイルは、並列の数を調節できる。
【００１１】  増圧する電圧の高さも調節できる。
【００１２】  固定子と固定子の間に磁石が両側にある事で軽くなる。
【００１３】  磁石が表と裏にある為、磁力が強くなる。
【００１４】  コイル付磁石の配線を個々に接続するより複数を直列に接続すると軽い。
【００１５】  回転子磁石を固定子と同数にして異極を取付けても良い。
【００１６】  ４分の１に減圧したら変圧器で４倍に増圧して回転子磁石の負荷を取る。
【符号の説明】
【００１７】    １  外枠
２  固定子
３  回転板
４  中継リング（ＡリングとＢリング付）
５  磁石
６  変圧器
７  コイル付磁石
【図１】
0003218985.tif 000003
【図２】
0003218985.tif 000004
【図３】
0003218985.tif 000005
【図４】
0003218985.tif 000006